(57)【要約】【課題】プレビュー表示中に不意にシャッターチャンスが訪れて撮影の機会を逸することを防ぎ、かつ必要な画像を記録できるようにする。【解決手段】メモリ２２は複数の画像を記憶可能な容量を有している。ＣＰＵ２８は、現在メモリ２２に記憶されている画像がプレビュー表示されているか否かを判断し、プレビュー表示されている場合は新たな画像をメモリ２２にさらに記憶できるか否かを判断する。ＣＰＵ２８は、新たな画像をメモリ２２にさらに記憶できると判断した場合、ＣＣＤ１４を制御して被写体を撮像し、被写体像を表す画像をメモリ２２において既に画像が記憶されている領域とは別の領域に記憶する。【選択図】  図１
2005236358.tif 000002
【特許請求の範囲】
【請求項１】
所定の指示を受け付ける指示手段と、
前記指示手段が撮像を開始する旨の指示を受け付けたことに応じて被写体を撮像し、被写体像を表す画像を出力する撮像手段と、
前記出力された画像を一時的に複数記憶可能な記憶手段と、
前記記憶手段の記憶する画像をプレビュー表示するよう表示装置を制御する表示制御手段と、
前記記憶手段に既に記憶されている画像がプレビュー表示されている間に前記指示手段が前記撮像を開始する旨の指示を受け付けた場合、前記記憶手段に既に記憶されている画像とともに前記撮像手段から新たに出力される画像を前記記憶手段に記憶させる記憶制御手段と、
前記指示手段が前記記憶手段に記憶された画像を記録媒体に記録する旨の指示を受け付けたことに応じて前記画像を前記記録媒体に記録させる記録制御手段と、
を備えることを特徴とする画像記録装置。
【請求項２】
前記表示制御手段は前記記憶手段に記憶された複数の画像をプレビュー表示できることを特徴とする請求項１に記載の画像記録装置。
【請求項３】
前記指示手段は前記記憶手段に記憶された画像の中から任意の画像を選択してプレビュー表示させる指示を受け付けることを特徴とする請求項１又は２に記載の画像記録装置。
【請求項４】
前記指示手段は前記プレビュー表示された画像を前記記録媒体に記録する旨の指示を受け付け、前記記録制御手段は前記指示に応じて前記プレビュー表示された画像を前記記録媒体に記録させることを特徴とする請求項１〜３のいずれか１項に記載の画像記録装置。
【請求項５】
前記指示手段は前記プレビュー表示された画像を前記記録媒体に記録しない旨の指示を受け付け、前記記憶制御手段は前記指示に応じて前記プレビュー表示された画像を前記記憶手段から消去させることを特徴とする請求項１〜４のいずれか１項に記載の画像記録装置。
【請求項６】
前記記憶制御手段は、前記指示手段が前記撮像を開始する旨の指示を受け付けた場合、前記記憶手段が既に記憶している画像とともに前記撮像手段から新たに出力される画像を記憶できる容量を有しているか否かを判断し、前記判断の結果に応じて前記既に記憶されている画像とともに前記新たに出力される画像を前記記憶手段に記憶させることを特徴とする請求項１〜５のいずれか１項に記載の画像記録装置。
【請求項７】
所定の指示を受け付ける指示手段と、
前記指示手段が撮像を開始する旨の指示を受け付けたことに応じて被写体を撮像し、被写体像を表す画像を出力する撮像手段と、
前記出力された画像を一時的に記憶する記憶手段と、
前記記憶された画像を記録媒体に記録させる記録制御手段と、
前記記憶手段の記憶する画像をプレビュー表示するよう表示装置を制御する表示制御手段とを備え、
前記指示手段が前記画像を前記記録媒体に記録させたままにする旨の指示を受け付けた場合、前記表示制御手段は前記プレビュー表示を終了させ、
前記指示手段が前記画像を前記記録媒体に記録させたままにしない旨の指示を受け付けた場合、前記記録制御手段は前記記録された画像を前記記録媒体から消去させることを特徴とする画像記録装置。
【請求項８】
前記指示手段が撮像を開始する旨の指示を受け付けた場合、前記表示制御手段は前記プレビュー表示を終了させることを特徴とする請求項７に記載の画像記録装置。
【請求項９】
撮像を開始する旨の指示を受け付けて被写体を撮像し、被写体像を表す画像を出力するステップと、
前記出力された画像を複数一時的に記憶するステップと、
前記記憶された画像をプレビュー表示するよう表示装置を制御するステップと、
既に記憶されている画像がプレビュー表示されている間に前記撮像を開始する旨の指示を受け付けた場合、前記既に記憶されている画像とともに前記撮像により新たに出力される画像を記憶させるステップと、
前記記憶された画像を記録媒体に記録する旨の指示を受け付けたことに応じて前記画像を前記記録媒体に記録させるステップと、
を含むことを特徴とする画像記録方法。
【請求項１０】
撮像を開始する旨の指示を受け付けたことに応じて被写体を撮像し、被写体像を表す画像を出力するステップと、
前記出力された画像を一時的に記憶するステップと、
前記記憶された画像を記録媒体に記録させるステップと、
前記記憶された画像をプレビュー表示するよう表示装置を制御するステップと、
前記画像を前記記録媒体に記録させたままにする旨の指示を受け付けた場合、前記プレビュー表示を終了させるステップと、
前記画像を前記記録媒体に記録させたままにしない旨の指示を受け付けた場合、前記記録された画像を前記記録媒体から消去させるステップと、
を含むことを特徴とする画像記録方法。
【発明の詳細な説明】
【技術分野】
【０００１】
本発明は、デジタルカメラなどの、撮像素子を用いて光学像を電気信号に変換することで得られる画像情報の記録に関する。
【背景技術】
【０００２】
従来、電子カメラで撮影したのち、所望の画像をＩＣカードなどの記録媒体に記録するための技術が様々開発されている。例えば、特許文献１のデジタルカメラよると、レリーズボタンを全押しして撮影を実行し、撮影した画像を液晶モニターにプレビュー表示させる。プレビュー表示中は、十字キーの押下により表示画像の拡大・縮小、表示範囲の移動、画面の回転、画面切り出しなどをさせることができる。従って、撮影した画像をその場でトリミング（画像編集）して記録させることができる。
【０００３】
また、特許文献２の電子カメラによると、ＣＣＤから出力された撮像信号は第１メモリに格納される。ユーザは、画質設定手段から所望の画質設定パラメータの設定変更の指示を入力できる。この変更指示に基づき、ＣＰＵは第１メモリに記憶されているデータを画質設定パラメータに従って信号処理部で画像処理し、得られた画像データを第２メモリに記憶し、第２メモリの画像データは表示部に表示される。ユーザが操作部から画像の記録を指示すると、ＣＰＵは第２メモリ上のデータをメモリカードに記録する。従って、撮影者は表示部に表示される画像（プレビュー画像）を見て記録前に画像の画質を確認できる。
【特許文献１】特開２００１−２１１４１７号公報、段落０１０４〜０１１２、図１１
【特許文献２】特開２００１−２５１５５１号公報、段落００１８〜００２３
【発明の開示】
【発明が解決しようとする課題】
【０００４】
ところが、上述の特許文献１のデジタルカメラや、特許文献２の電子カメラでは、プレビュー表示を行っている最中に突然シャッターチャンスが訪れたために撮影の機会を逸したり、あるいはシャッターチャンスを優先してとっさに撮影を行ったために本来記録すべき画像を記録できなかったりするという不都合が生じる場合がある。本発明はこのような問題点に鑑み、プレビュー表示中に不意にシャッターチャンスが訪れて撮影の機会を逸することを防ぎ、かつ必要な画像を記録できるようにすることを目的とする。
【課題を解決するための手段】
【０００５】
上述の課題を解決するため、請求項１に係る発明は、所定の指示を受け付ける指示手段と、前記指示手段が撮像を開始する旨の指示を受け付けたことに応じて被写体を撮像し、被写体像を表す画像を出力する撮像手段と、前記出力された画像を一時的に複数記憶可能な記憶手段と、前記記憶手段の記憶する画像をプレビュー表示するよう表示装置を制御する表示制御手段と、前記記憶手段に既に記憶されている画像がプレビュー表示されている間に前記指示手段が前記撮像を開始する旨の指示を受け付けた場合、前記記憶手段に既に記憶されている画像とともに前記撮像手段から新たに出力される画像を前記記憶手段に記憶させる記憶制御手段と、前記指示手段が前記記憶手段に記憶された画像を記録媒体に記録する旨の指示を受け付けたことに応じて前記画像を前記記録媒体に記録させる記録制御手段と、を備えることを特徴とする画像記録装置である。
【０００６】
この発明によると、既に記憶されている画像がプレビュー表示されている間に新たな撮像開始の指示がされた場合、記憶手段に記憶されている画像とともに新たに撮影された画像が記憶される。従って、プレビュー中にシャッターチャンスが不意に訪れてもプレビュー画像を消去することなく新たな撮影を行うことができる。そして、記憶された画像を記録させる指示が受け付けられ、この指示に応じて画像が記録媒体に記録される。従って、既に記憶された画像を任意に記録させることができる。
【０００７】
請求項２に係る発明は、前記表示制御手段は前記記憶手段に記憶された複数の画像をプレビュー表示できることを特徴とする請求項１に記載の画像記録装置である。
【０００８】
請求項３に係る発明は、前記指示手段は前記記憶手段に記憶された画像の中から任意の画像を選択してプレビュー表示させる指示を受け付けることを特徴とする請求項１又は２に記載の画像記録装置である。
【０００９】
請求項４に係る発明は、前記指示手段は前記プレビュー表示された画像を前記記録媒体に記録する旨の指示を受け付け、前記記録制御手段は前記指示に応じて前記プレビュー表示された画像を前記記録媒体に記録させることを特徴とする請求項１〜３のいずれか１項に記載の画像記録装置である。
【００１０】
請求項５に係る発明は、前記指示手段は前記プレビュー表示された画像を前記記録媒体に記録しない旨の指示を受け付け、前記記憶制御手段は前記指示に応じて前記プレビュー表示された画像を前記記憶手段から消去させることを特徴とする請求項１〜４のいずれか１項に記載の画像記録装置である。
【００１１】
請求項６に係る発明は、前記記憶制御手段は、前記指示手段が前記撮像を開始する旨の指示を受け付けた場合、前記記憶手段が既に記憶している画像とともに前記撮像手段から新たに出力される画像を記憶できる容量を有しているか否かを判断し、前記判断の結果に応じて前記既に記憶されている画像とともに前記新たに出力される画像を前記記憶手段に記憶させることを特徴とする請求項１〜５のいずれか１項に記載の画像記録装置である。
【００１２】
請求項７に係る発明は、所定の指示を受け付ける指示手段と、前記指示手段が撮像を開始する旨の指示を受け付けたことに応じて被写体を撮像し、被写体像を表す画像を出力する撮像手段と、前記出力された画像を一時的に記憶する記憶手段と、前記記憶された画像を記録媒体に記録させる記録制御手段と、前記記憶手段の記憶する画像をプレビュー表示するよう表示装置を制御する表示制御手段とを備え、前記指示手段が前記画像を前記記録媒体に記録させたままにする旨の指示を受け付けた場合、前記表示制御手段は前記プレビュー表示を終了させ、前記指示手段が前記画像を前記記録媒体に記録させたままにしない旨の指示を受け付けた場合、前記記録制御手段は前記記録された画像を前記記録媒体から消去させることを特徴とする画像記録装置である。
【００１３】
この発明によると、撮影された画像が直ちに記録媒体に記録される。従って、プレビュー中にシャッターチャンスが不意に訪れてもプレビュー画像を消去することなく新たな撮影を行うことができる。また、画像を記録媒体に記録させたままにしない旨の指示を行なうことにより不要な画像が記録媒体に記録されたままにされないようにできる。
【００１４】
請求項８に係る発明は、前記指示手段が撮像を開始する旨の指示を受け付けた場合、前記表示制御手段は前記プレビュー表示を終了させることを特徴とする請求項７に記載の画像記録装置である。
【００１５】
請求項９に係る発明は、撮像を開始する旨の指示を受け付けて被写体を撮像し、被写体像を表す画像を出力するステップと、前記出力された画像を複数一時的に記憶するステップと、前記記憶された画像をプレビュー表示するよう表示装置を制御するステップと、既に記憶されている画像がプレビュー表示されている間に前記撮像を開始する旨の指示を受け付けた場合、前記既に記憶されている画像とともに前記撮像により新たに出力される画像を記憶させるステップと、前記記憶された画像を記録媒体に記録する旨の指示を受け付けたことに応じて前記画像を前記記録媒体に記録させるステップと、を含むことを特徴とする画像記録方法である。
【００１６】
請求項１０に係る発明は、撮像を開始する旨の指示を受け付けたことに応じて被写体を撮像し、被写体像を表す画像を出力するステップと、前記出力された画像を一時的に記憶するステップと、前記記憶された画像を記録媒体に記録させるステップと、前記記憶された画像をプレビュー表示するよう表示装置を制御するステップと、前記画像を前記記録媒体に記録させたままにする旨の指示を受け付けた場合、前記プレビュー表示を終了させるステップと、前記画像を前記記録媒体に記録させたままにしない旨の指示を受け付けた場合、前記記録された画像を前記記録媒体から消去させるステップと、を含むことを特徴とする画像記録方法である。
【発明の効果】
【００１７】
上記発明によると、既に記憶されている画像がプレビュー表示されている間に新たな撮像開始の指示がされた場合、記憶手段に記憶されている画像とともに新たに撮影された画像が記憶される。従って、プレビュー中にシャッターチャンスが不意に訪れてもプレビュー画像を消去することなく新たな撮影を行うことができる。そして、記憶された画像を記録させる指示が受け付けられ、この指示に応じて画像が記録媒体に記録される。従って、既に記憶された画像を任意に記録させることができる。
【００１８】
また、上記発明によると、撮影された画像が直ちに記録媒体に記録される。従って、プレビュー中にシャッターチャンスが不意に訪れてもプレビュー画像を消去することなく新たな撮影を行うことができる。また、画像を記録媒体に記録させたままにしない旨の指示を行なうことにより不要な画像が記録媒体に記録されたままにされないようにできる。
【発明を実施するための最良の形態】
【００１９】
以下、添付した図面を参照し本発明の好ましい実施例を説明する。
【実施例１】
【００２０】
（１）機能構成
図１は本発明の好ましい一実施例に係る電子カメラ１０のブロック図である。この電子カメラ１０は、主として撮影レンズ１２、撮像素子としてのＣＣＤ１４、サンプリングホールド回路（Ｓ／Ｈ）１６、Ａ／Ｄ変換器１８、メモリコントローラ２０、メモリ２２、信号処理部２６、中央処理装置（ＣＰＵ）２８、圧縮伸張回路３０、メモリカード３２が着脱されるカードインターフェース３４、レリーズボタンや十字キーなどで構成されており指示入力を受け付ける操作部３８、及びメモリ２２に記憶される撮影画像のプレビュー表示などを行う表示部４０から構成される。撮影レンズ１２は、１枚又は複数枚のレンズで構成され、単一の焦点距離（固定焦点）のレンズでも良いし、ズームレンズや望遠／広角の二焦点切替式レンズの如く焦点距離可変のものでもよい。撮影レンズ１２を介してＣＣＤ１４の受光面に結像された被写体像は、各センサで入射光量に応じた量の信号電荷に変換される。このようにして蓄積された信号電荷は、図示しないＣＣＤ駆動回路から加えられるリードゲートパルスによって読み出され、信号電荷に応じた電圧信号（アナログ撮像信号）として順次ＣＣＤ１４から出力される。
【００２１】
ＣＣＤ１４には、シャッターゲートを介してシャッタードレインが設けられており、シャッターゲートをシャッターゲートパルスによって駆動することにより、蓄積した信号電荷をシャッタードレインに掃き出すことができる。すなわち、ＣＣＤ１４は、シャッターゲートパルスによって各センサに蓄積される電荷の蓄積時間（シャッタースピード）を制御する、いわゆる電子シャッター機能を有している。ＣＣＤ１４から読み出されたアナログ撮像信号は、サンプリングホールド回路１６に送られ、ここで相関二重サンプリング（ＣＤＳ）処理並びにＲ，Ｇ，Ｂの各色信号に色分離処理される。各画素毎にサンプリングホールドされた撮像信号は、Ａ／Ｄ変換器１８においてＲ，Ｇ，Ｂのデジタル信号に変換された後、メモリコントローラ２０を介してメモリ２２に記憶される。メモリ２２は複数の画像を記憶可能な容量を有している。表示部４０は、メモリ２２に記憶された画像をプレビュー表示するが、プレビュー表示は十字キーの押下により各画像を１つずつ表示してもよいし、複数の画像をマルチウィンドウなどにより同時に表示するなど、適宜設計できる。
【００２２】
（２）画像記録処理
次に、ＣＰＵ２８が実行する画像記録処理を説明する。図２は、画像記録処理の流れを示すフローチャートである。この処理は、電子カメラ１０の電源投入時に開始するものとする。
【００２３】
Ｓ１１では、ＣＰＵ２８は、レリーズボタンの押下など、撮影を開始する旨の操作が操作部３８に行われたか否かを判断する。上記操作がされたと判断した場合はＳ１２へ移行し、上記操作がされなかったと判断した場合はＳ２２に移行する。Ｓ１２では、ＣＰＵ２８は、現在メモリ２２に記憶されている画像がプレビュー表示されているか否かを判断する。プレビュー表示されている場合はＳ１３に移行し、プレビュー表示されていない場合はＳ１４に移行する。Ｓ１３では、ＣＰＵ２８は、新たな画像をメモリ２２にさらに記憶できるか否かを判断する。この判断は、例えばメモリ２２の現在の空き容量を検出すること、あるいはすでに記憶されている画像の数からメモリ２２の使用量を概算することで行うことができる。新たな画像を記憶できる場合はＳ１４に移行し、新たな画像を記憶できない場合はＳ２１に移行する。Ｓ２１では、「メモリの空き容量が不足しているため撮影できません」などの警告を表示部４０に表示する。
【００２４】
Ｓ１４では、ＣＰＵ２８は、ＣＣＤ１４を制御して被写体を撮像し、被写体像を表す画像をメモリ２２において既に画像が記憶されている領域とは別の領域に記憶する。なお、Ｓ１２でプレビュー中でないと判断されている場合、メモリ２２に記憶されている画像を新たに撮影した画像で上書き記憶してもよい。Ｓ１５は、ＣＰＵ２８は新たにメモリ２２に記憶された画像を表示部４０にプレビュー表示させる。Ｓ１６では、ＣＰＵ２８はメモリ２２に記憶されている画像の中からプレビュー表示させたい画像の選択を操作部３８の操作により受け付ける。画像が選択された場合はＳ１７に移行し、いずれの画像も選択されなかった場合はＳ２２に移行する。ただし、メモリカード３２に画像が全く記憶されていない場合、即ち初回の撮影時は、操作部３８による選択にかかわらず自動的にＳ１７へ移行するものとする。なお、画像が複数記憶されている場合、選択できる画像は複数であってもよい。
【００２５】
Ｓ１７では、ＣＰＵ２８はＳ１６で選択した画像をプレビュー表示させた上、このプレビュー表示された画像をメモリカード３２に記録する旨の指示を操作部３８から受け付ける。選択した画像を記録する指示がされた場合はＳ１８に移行し、記録する指示がされなかった場合はＳ１９に移行する。Ｓ１８では、ＣＰＵ２８はカードインターフェース３４を制御してＳ１６で選択した画像をメモリカード３２に記録させる。Ｓ１９では、ＣＰＵ２８は選択した画像を記録しない旨の指示を操作部３８から受け付ける。選択した画像を記録しない旨の指示がされた場合はＳ２０に移行し、選択した画像を記録しない旨の指示がされなかった場合はＳ２２に移行する。Ｓ２０では、ＣＰＵ２８はＳ１６で選択した画像をメモリ２２から消去させる。
【００２６】
Ｓ２２では、ＣＰＵ２８はメモリ２２に少なくとも１つの画像が記憶されているか否かを判断する。記憶されている場合はＳ２３に移行し、メモリ２２に画像が全く記憶されていない場合はＳ１１に戻り新たな撮影の開始を待機する。Ｓ２３では、ＣＰＵ２８は、メモリ２２に記憶されている画像についてプレビュー表示を続行するか否かの指示を操作部３８により受け付ける。そして、プレビュー表示を続行する旨の指示を受け付けた場合はＳ１５に戻り、メモリ２２に記憶されている画像について引き続きプレビュー表示を行う。プレビュー表示を続行する旨の指示を受け付けなかった場合はＳ１１に戻り新たな撮影の開始を待機する。
【００２７】
（３）本実施例に係る電子カメラの特徴
上述のように、プレビュー中に撮影指示があった場合（Ｓ１１、Ｓ１２で“Ｙ”）、メモリ２２に空きがあれば（Ｓ１３で“Ｙ”）、撮影された画像がメモリ２２に記憶される（Ｓ１４）。記憶された画像はプレビュー表示され（Ｓ１５）、画像の選択が受け付けられる（Ｓ１６）。選択された画像を記録する旨の指示があれば（Ｓ１７で“Ｙ”）、選択された画像がメモリカード３２に記録される（Ｓ１８）。従って、プレビュー中にシャッターチャンスが不意に訪れてもプレビュー画像を消去することなく新たな撮影を行うことができる。そして、新たに撮影した画像を記録することもできるし（Ｓ１７で“Ｙ”）、あるいは新たな撮影を行ってもその画像を記録せず（Ｓ１９で“Ｙ”）、以前撮影した画像を再びプレビュー表示させて（Ｓ２３で“Ｙ”）記録させることもできる。
【００２８】
また、プレビュー中に撮影指示があった（Ｓ１１、Ｓ１２で“Ｙ”）が、メモリ２２に空きがない場合（Ｓ１３で“Ｎ”）、撮影は行われずメモリ２２に記憶されている画像は消去されない。従って、プレビュー中にシャッターチャンスが不意に訪れとっさに撮影の開始をすることで本来メモリカード３２に記録すべき画像を消去してしまうことを防げる。また、画像がメモリカード３２に記憶された場合（Ｓ１７で“Ｙ”）や、撮影した画像を記録しない旨の指示がされた場合（Ｓ１９で“Ｙ”）、その画像はメモリ２２から消去される。従って、メモリ２２へ不要な画像を記憶させずリソースを有効に活用することができる。
【００２９】
さらに、画像を記録すること、記録しないことのいずれも指示されず（Ｓ１７、Ｓ１９で“Ｎ”）、かつプレビュー画像がない（Ｓ２２で“Ｎ”）かあるいはプレビュー続行が指示されなかった（Ｓ２３で“Ｎ”）場合、メモリ２２に記憶された画像は消去されず、そのまま撮影の開始が待機される（Ｓ１１）。従って、撮影者がメモリ２２に記憶されている画像をメモリカード３２に記録するか否かを決めかねている場合であっても、その画像を直ちに消去せず、次の撮影を続行できる。
【実施例２】
【００３０】
（１）機能構成及び画像記録処理
次に、本発明の好ましい他の実施例である電子カメラ１０を説明する。この電子カメラ１０の機能構成はＣＰＵ２８を除き図１と同様であるとし、説明を省略する。ＣＰＵ２８は、実施例１と異なる画像記録処理を行う。この処理は、撮影してプレビュー表示されている画像を一旦メモリカード３２に記録し、この記録した画像を必要に応じて記録保持するか、消去するか、あるいは次に撮影した画像に記録更新する。この処理は、電子カメラ１０の起動時に開始するものとする。
【００３１】
ステップＳ５１では、撮影を開始する旨の操作が操作部３８に行われたか否かを判断する。上記操作がされたと判断した場合はＳ５２へ移行し、上記操作がされなかったと判断した場合は上記操作があるまで上記判断を繰り返す。Ｓ５２では、ＣＰＵ２８は、現在メモリ２２に記憶されている画像がプレビュー表示されているか否かを判断する。プレビュー表示されている場合はＳ５３に移行し、プレビュー表示されていない場合はＳ５４に移行する。Ｓ５３では、ＣＰＵ２８は表示部４０のプレビュー表示を終了させる。Ｓ５４では、ＣＰＵ２８は、ＣＣＤ１４を制御して被写体を撮像し、被写体像を表す画像をメモリ２２に記憶する。なお、すでに画像がメモリ２２に記憶されている場合、メモリ２２に記憶されている画像を新たに撮影した画像で上書き記憶する。Ｓ５５では、ＣＰＵ２８はカードインターフェース３４を制御してメモリ２２に記憶されている画像をメモリカード３２に複製して記録させる。
【００３２】
Ｓ５６では、ＣＰＵ２８はメモリ２２に記憶された画像を表示部４０にプレビュー表示させる。Ｓ５７では、ＣＰＵ２８はＳ５５で記録した画像をメモリカード３２に記録したままにする旨の指示を操作部３８から受け付ける。画像を記録したままにする指示がされた場合はＳ６１に移行し、記録したままにする指示がされなかった場合はＳ５９に移行する。Ｓ５９では、ＣＰＵ２８はＳ５５で記録した画像をメモリカード３２に記録したままにしない旨の指示を操作部３８から受け付ける。記録したままにしない旨の指示がされた場合はＳ６０に移行し、記録したままにしない旨の指示がされなかった場合はＳ５１に戻り、新たな撮影の開始指示を待機する。Ｓ６０では、ＣＰＵ２８はメモリカード３２に記録されている画像を消去させる。Ｓ６１では、ＣＰＵ２８は表示部４０のプレビュー表示を終了させる。なお、図示しないが、Ｓ５１における操作の待機中はメモリ２２に記憶されている画像をプレビュー表示させてその画像を記録する旨の指示を受け付け、その画像をメモリカード３２に記録させるような処理を別途設けてもよい。
【００３３】
（２）本実施例に係る電子カメラの特徴
上述のとおり、撮影を開始する指示が行なわれ（Ｓ５１で“Ｙ”）、かつプレビュー表示中である場合（Ｓ５２で“Ｙ”）、プレビュー表示を終了（Ｓ５３）した上で新たな撮影が開始される（Ｓ５４）。撮影された画像はメモリ２２に記憶され、かつメモリカード３２に記録される（Ｓ５５）。メモリ２２の画像はプレビュー表示され（Ｓ５６）、既にメモリカード３２に記録された画像を記録したままにする旨の指示が操作部３８から受け付けられる（Ｓ５７）。画像を記録したままにする旨の指示が行なわれた場合（Ｓ５７で“Ｙ”）はその画像の記録が保持されたままプレビュー表示を終了する（Ｓ６１）。即ち、プレビュー中にシャッターチャンスが不意に訪れユーザがとっさに撮影の開始をしても、前回撮影した画像は既にメモリカード３２に記録されているため、本来メモリカード３２に記録すべき画像を突然のシャッターチャンスの到来で撮影を開始することで消去してしまうことを防げる。
【００３４】
また、画像を記録したままにしない旨の指示がされた場合（Ｓ５９で“Ｙ”）はメモリカード３２に記録された画像は消去される（Ｓ６０）ため、不要な画像がメモリカード３２に記録されたままにされないようにできる。また、新たに撮影された画像のプレビュー表示を見ながら既にメモリカード３２に記録した画像を記録したままにするか、あるいは消去するかを自由に選択できる。さらに、画像を記録したままにすること、画像を記録したままにしないことのいずれも指示されない（Ｓ５７、Ｓ５９で“Ｎ”）場合、メモリカード３２に記録された画像は消去されず、そのまま撮影の開始が待機される（Ｓ５１）。従って、撮影者がメモリカード３２に記録されている画像をそのままにするか否かを決めかねている場合であっても、記録された画像はメモリカード３２から消去されず、新たな撮影を続行できる。
【図面の簡単な説明】
【００３５】
【図１】本発明の好ましい実施例に係る電子カメラの機能構成図。
【図２】実施例１に係る画像記録処理のフローチャート。
【図３】実施例２に係る画像記録処理のフローチャート。
【符号の説明】
【００３６】
１０・・電子カメラ、１４・・ＣＣＤ、２２・・メモリ、２８・・ＣＰＵ、３２・・メモリカード、３８・・操作部、４０・・表示部
【図１】
2005236358.tif 000003
【図２】
2005236358.tif 000004
【図３】
2005236358.tif 000005